【手続補正書】
【提出日】平成16年2月4日(2004.2.4)
【手続補正１】
【補正対象書類名】明細書
【補正対象項目名】発明の名称
【補正方法】変更
【補正の内容】
【発明の名称】画像形成装置


【手続補正２】
【補正対象書類名】明細書
【補正対象項目名】特許請求の範囲
【補正方法】変更
【補正の内容】
【特許請求の範囲】
【請求項１】
レーザビームにより複数の解像度で画像情報に対応した静電潜像を感光体上に形成し、前記静電潜像を現像して顕画像を得る画像形成装置において、
解像度毎に、それぞれ前記レーザビームの出力を変化させて、前記感光体上に規定画素密度の画像パッチを作成する画像パッチ作成手段と、該画像パッチを現像する現像手段と、該現像した画像パッチの濃度を検出する濃度検出手段と、該濃度検出手段からの濃度検出情報に基づいて、規定画素密度の画像パッチが規定濃度となるレーザビームの出力を求める出力調節手段とを有し、該求めたレーザビームの出力でそれぞれの解像度毎の画像を形成することを特徴とする画像形成装置。
【請求項２】
レーザビームにより複数の解像度で画像情報に対応した静電潜像を感光体上に形成し、前記静電潜像を現像して顕画像を得る画像形成装置において、
一つの解像度に対して、前記レーザビームの出力を変化させて、前記感光体上に規定画素密度の画像パッチを作成する画像パッチ作成手段と、該画像パッチを現像する現像手段と、該現像した画像パッチの濃度を検出する濃度検出手段と、該濃度検出手段からの濃度検出情報に基づいて、規定画素密度の画像パッチが規定濃度となるレーザビームの出力を求める出力調節手段と、該求めたレーザビームの出力で画像を形成し、別の解像度のレーザビームに対しては、前記求めたレーザビーム出力に対しオフセット値を加減する解像度変換手段とを有し、該オフセット値を加減したレーザ出力値にて別の解像度の画像を形成することを特徴とする画像形成装置。
【請求項３】
レーザビームにより複数の解像度で画像情報に対応した静電潜像を感光体上に形成し、前記静電潜像を現像して顕画像を得る画像形成装置において、
解像度毎に、それぞれ前記レーザビームの出力を変化させて前記感光体上に規定画素密度の画像パッチを作成する画像パッチ作成手段と、前記画像パッチの電位を検出する電位検出手段と、前記電位検出手段からの電位検出情報に基づいて、規定画素密度の画像パッチが規定電位となるレーザビームの出力を求める出力調節手段とを有し、該求めたレーザビームの出力にてそれぞれの解像度毎の画像を形成することを特徴とする画像形成装置。
【請求項４】
レーザビームにより複数の解像度で画像情報に対応した静電潜像を感光体上に形成し、前記静電潜像を現像して顕画像を得る画像形成装置において、
一つの解像度に対して、前記レーザビームの出力を変化させて前記感光体上に規定画素密度の画像パッチを作成する画像パッチ作成手段と、前記画像パッチの電位を検出する電位検出手段と、前記電位検出手段からの電位検出情報に基づいて、規定画素密度の画像パッチが規定電位となるレーザビームの出力を求める出力調節手段と、該求めたレーザビームの出力で画像を形成し、別の解像度のレーザビームに対しては、前記求めたレーザビーム出力に対しオフセット値を加減する解像度変換手段とを有し、該オフセット値を加減したレーザ出力値にて別の解像度の画像を形成することを特徴とする画像形成装置。
【請求項５】
レーザビームにより複数の解像度で画像情報に対応した静電潜像を感光体上に形成し、前記静電潜像を現像して顕画像を得る画像形成装置において、
前記レーザビームの出力を変化させて、前記感光体上に規定画素密度の画像パッチを作成する画像パッチ作成手段と、該画像パッチを現像する現像手段と、該現像した画像パッチの濃度を検出する濃度検出手段と、該濃度検出手段からの濃度検出情報に基づいて、規定画素密度の画像パッチが規定濃度となるレーザビームの出力を求める出力調節手段と、該求めたレーザビームの出力に対しオフセット値を加減する手段とを有し、該オフセット値を加減したレーザ出力値にて任意の濃度条件の画像を形成することを特徴とする画像形成装置。
【請求項６】
レーザビームにより複数の解像度で画像情報に対応した静電潜像を感光体上に形成し、前記静電潜像を現像して顕画像を得る画像形成装置において、
前記レーザビームの出力を変化させて、前記感光体上に規定画素密度の画像パッチを作成する画像パッチ作成手段と、該画像パッチの電位を検出する電位検出手段と、前記電位検出手段からの電位検出情報に基づいて、規定画素密度の画像パッチが規定電位となるレーザビームの出力を求める出力調節手段と、該求めたレーザビームの出力に対しオフセット値を加減する手段とを有し、該オフセット値を加減したレーザ出力値にて任意の濃度条件の画像を形成することを特徴とする画像形成装置。
【手続補正３】
【補正対象書類名】明細書
【補正対象項目名】０００１
【補正方法】変更
【補正の内容】
【０００１】
【発明の属する技術分野】
本発明はレーザ露光系を有する画像形成装置のレーザビームの出力を加減して解像度毎に安定した高品質の画像や任意の濃度条件の画像を得る画像形成装置に関する。また、解像度は長さ２５．４ｍｍ当たりに並ぶ判別可能なドット数で表し、この数をｄｐｉと定義する。


【手続補正４】
【補正対象書類名】明細書
【補正対象項目名】０００８
【補正方法】変更
【補正の内容】
【０００８】
【発明が解決しようとする課題】
本発明は、以上のような従来技術の欠点を排除し、特に、次のような点を解決した画像形成装置を提供することを課題目的にする。


【手続補正５】
【補正対象書類名】明細書
【補正対象項目名】００１４
【補正方法】変更
【補正の内容】
【００１４】
【課題を解決するための手段】
この目的は次の技術手段（１）〜（６）の何れかによって達成される。


【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
（１）  レーザビームにより複数の解像度で画像情報に対応した静電潜像を感光体上に形成し、前記静電潜像を現像して顕画像を得る画像形成装置において、解像度毎に、それぞれ前記レーザビームの出力を変化させて、前記感光体上に規定画素密度の画像パッチを作成する画像パッチ作成手段と、該画像パッチを現像する現像手段と、該現像した画像パッチの濃度を検出する濃度検出手段と、該濃度検出手段からの濃度検出情報に基づいて、規定画素密度の画像パッチが規定濃度となるレーザビームの出力を求める出力調節手段とを有し、該求めたレーザビームの出力でそれぞれの解像度毎の画像を形成することを特徴とする画像形成装置。


【手続補正１１】
【補正対象書類名】明細書
【補正対象項目名】００２０
【補正方法】変更
【補正の内容】
【００２０】
（２）  レーザビームにより複数の解像度で画像情報に対応した静電潜像を感光体上に形成し、前記静電潜像を現像して顕画像を得る画像形成装置において、一つの解像度に対して、前記レーザビームの出力を変化させて、前記感光体上に規定画素密度の画像パッチを作成する画像パッチ作成手段と、該画像パッチを現像する現像手段と、該現像した画像パッチの濃度を検出する濃度検出手段と、該濃度検出手段からの濃度検出情報に基づいて、規定画素密度の画像パッチが規定濃度となるレーザビームの出力を求める出力調節手段と、該求めたレーザビームの出力で画像を形成し、別の解像度のレーザビ−ムに対しては、前記求めたレーザビーム出力に対しオフセット値を加減する解像度変換手段とを有し、該オフセット値を加減したレーザ出力値にて別の解像度の画像を形成することを特徴とする画像形成装置。
（３）  レーザビームにより複数の解像度で画像情報に対応した静電潜像を感光体上に形成し、前記静電潜像を現像して顕画像を得る画像形成装置において、解像度毎に、それぞれ前記レーザビームの出力を変化させて前記感光体上に規定画素密度の画像パッチを作成する画像パッチ作成手段と、前記画像パッチの電位を検出する電位検出手段と、前記電位検出手段からの電位検出情報に基づいて、規定画素密度の画像パッチが規定電位となるレーザビームの出力を求める出力調節手段とを有し、該求めたレーザビームの出力にてそれぞれの解像度毎の画像を形成することを特徴とする画像形成装置。


【手続補正１２】
【補正対象書類名】明細書
【補正対象項目名】００２１
【補正方法】変更
【補正の内容】
【００２１】
（４）  レーザビームにより複数の解像度で画像情報に対応した静電潜像を感光体上に形成し、前記静電潜像を現像して顕画像を得る画像形成装置において、一つの解像度に対して、前記レーザビームの出力を変化させて前記感光体上に規定画素密度の画像パッチを作成する画像パッチ作成手段と、前記画像パッチの電位を検出する電位検出手段と、前記電位検出手段からの電位検出情報に基づいて、規定画素密度の画像パッチが規定電位となるレーザビームの出力を求める出力調節手段と、該求めたレーザビームの出力で画像を形成し、別の解像度のレーザビームに対しては、前記求めたレーザビーム出力に対しオフセット値を加減する解像度変換手段とを有し、該オフセット値を加減したレーザ出力値にて別の解像度の画像を形成することを特徴とする画像形成装置。


【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
（５）  レーザビームにより複数の解像度で画像情報に対応した静電潜像を感光体上に形成し、前記静電潜像を現像して顕画像を得る画像形成装置において、
前記レーザビームの出力を変化させて、前記感光体上に規定画素密度の画像パッチを作成する画像パッチ作成手段と、該画像パッチを現像する現像手段と、該現像した画像パッチの濃度を検出する濃度検出手段と、該濃度検出手段からの濃度検出情報に基づいて、規定画素密度の画像パッチが規定濃度となるレーザビームの出力を求める出力調節手段と、該求めたレーザビームの出力に対しオフセット値を加減する手段とを有し、該オフセット値を加減したレーザ出力値にて任意の濃度条件の画像を形成することを特徴とする画像形成装置。


【手続補正１６】
【補正対象書類名】明細書
【補正対象項目名】００２５
【補正方法】変更
【補正の内容】
【００２５】
（６）  レーザビームにより複数の解像度で画像情報に対応した静電潜像を感光体上に形成し、前記静電潜像を現像して顕画像を得る画像形成装置において、
前記レーザビームの出力を変化させて、前記感光体上に規定画素密度の画像パッチを作成する画像パッチ作成手段と、該画像パッチの電位を検出する電位検出手段と、前記電位検出手段からの電位検出情報に基づいて、規定画素密度の画像パッチが規定電位となるレーザビームの出力を求める出力調節手段と、該求めたレーザビームの出力に対しオフセット値を加減する手段とを有し、該オフセット値を加減したレーザ出力値にて任意の濃度条件の画像を形成することを特徴とする画像形成装置。